(57)【要約】【課題】本発明は、データ通信装置、データ通信システム及びデータ通信装置の制御方法に関し、例えば車両に搭載された無線通信装置によるデータ通信に適用して、従来に比してセキュリティーを向上して簡易にデータ通信することができるようにする。【解決手段】本発明は、現在位置が、無線通信により接続可能な複数の接続可能地域より事前に選択された接続が許可される地域の場合に限って、データを送受する。【選択図】        図１
2004328560.tif 000002
【特許請求の範囲】
【請求項１】
無線通信によりホスト装置から所望のデータを取得するデータ通信装置において、
現在位置を検出する現在位置検出手段と、
前記ホスト装置に接続可能な無線通信手段と、
前記現在位置検出手段による検出結果に基づいて、前記現在位置が、前記ホスト装置に接続可能な複数の接続可能地域より事前に選択された接続が許可される地域の場合、前記無線通信手段により前記ホスト装置に接続し、前記ホスト装置における確認により、前記ホスト装置から前記所望のデータを取得する制御手段と
を備えることを特徴とするデータ通信装置。
【請求項２】
前記制御手段は、
前記現在位置検出手段により検出される前記現在位置の情報を前記ホスト装置に通知し、前記ホスト装置による該通知の判定により、前記所望のデータを取得する
ことを特徴とする請求項１に記載のデータ通信装置。
【請求項３】
移動可能な装置からの無線通信による接続により、前記移動可能な装置に所望のデータを送出するデータ通信装置において、
前記移動可能な装置の接続に基づいて、前記移動可能な装置の現在位置を検出し、
前記現在位置が、前記移動可能な装置が接続可能な複数の接続可能地域より事前に選択された接続が許可される地域の場合、前記移動可能な装置に、前記データを送出する
ことを特徴とするデータ通信装置。
【請求項４】
前記現在位置が、前記事前に選択された接続が許可される地域の場合、
さらに前記移動可能な装置で検出される現在位置の情報を取得し、
該取得した現在位置の情報による現在位置が、前記事前に選択された接続が許可される地域か否か判定し、
該判定結果に基づいて、前記データの送出を中止する
ことを特徴とする請求項３に記載のデータ通信装置。
【請求項５】
前記現在位置が、前記事前に選択された接続が許可される地域の場合、
前記移動可能な装置に関するスケジュールに基づいて、前記移動可能な装置からの接続の時刻を判定し、
該判定結果に基づいて、前記データの送出を中止する
ことを特徴とする請求項３に記載のデータ通信装置。
【請求項６】
移動可能な装置からの無線通信による接続により、ホスト装置から前記移動可能な装置にデータを送出するデータ通信システムにおいて、
前記移動可能な装置は、
現在位置検出手段で検出される現在位置に基づいて、前記現在位置が、前記ホスト装置に接続可能な複数の接続可能地域より事前に選択された接続が許可される地域の場合、前記ホスト装置に前記データの送出を要求し、
前記ホスト装置は、
前記移動可能な装置からの前記要求により、
前記前記移動可能な装置の接続に基づいて移動可能な装置の現在位置を検出し、
前記現在位置が、前記事前に選択された接続が許可される地域の場合、前記移動可能な装置に、前記データを送出する
ことを特徴とするデータ通信装置システム。
【請求項７】
無線通信によりホスト装置から所望のデータを取得するデータ通信装置の制御方法において、
現在位置検出手段により取得した現在位置に基づいて、前記現在位置が、前記ホスト装置に接続可能な複数の接続可能地域より事前に選択された接続が許可される地域の場合、前記ホスト装置に接続し、前記ホスト装置における確認により、前記ホスト装置から前記所望のデータを取得する
ことを特徴とするデータ通信装置の制御方法。
【請求項８】
移動可能な装置からの無線通信による接続により、前記移動可能な装置に所望のデータを送出するデータ通信装置の制御方法において、
前記移動可能な装置の接続に基づいて前記移動可能な装置の現在位置を検出し、
前記現在位置が、前記移動可能な装置が接続可能な複数の接続可能地域より事前に選択された接続が許可される地域の場合、前記移動可能な装置に、前記データを送出する
ことを特徴とするデータ通信装置の制御方法。
【発明の詳細な説明】
【０００１】
【発明の属する技術分野】
本発明は、データ通信装置、データ通信システム及びデータ通信装置の制御方法に関し、例えば車両に搭載された無線通信装置によるデータ通信に適用することができる。本発明は、現在位置が、無線通信により接続可能な複数の接続可能地域より事前に選択された接続が許可される地域の場合に限って、データを送受することにより、従来に比してセキュリティーを向上して簡易にデータ通信することができるようにする。
【０００２】
【従来の技術】
従来、データ通信の分野においては、如何なる場所でもインターネット等のネットワークに接続できるように、インフラの整備が図られるようになされている。
【０００３】
このようなネットワークにおいては、パスワード等によるユーザー認証により、セキュリティーを確保するようになされている。
【０００４】
これに対して例えば特開平９−２８４２０３号公報においては、通信良好な地域を確認しておき、この通信良好な地域に限ってデータ通信することにより、確実にデータ通信する方法が提案されるようになされている。
【０００５】
【特許文献１】
特開平９−２８４２０３号公報
【０００６】
【発明が解決しようとする課題】
ところでこのように如何なる場所でもネットワークに接続し得る場合にあっては、便利な反面、パスワード等によるユーザー認証を実施するようにしても、正規のユーザーに成り済ました第三者による不正アクセスの恐れがある。
【０００７】
またネットワークに接続する操作をユーザー自身がその都度操作しなければ所望のデータを取得し得ない問題もある。
【０００８】
本発明は以上の点を考慮してなされたもので、従来に比してセキュリティーを向上して簡易にデータ通信することができるデータ通信装置、データ通信システム及びデータ通信装置の制御方法を提案しようとするものである。
【０００９】
【課題を解決するための手段】
かかる課題を解決するため請求項１の発明においては、無線通信によりホスト装置から所望のデータを取得するデータ通信装置に適用して、現在位置検出手段による検出結果に基づいて、現在位置が、ホスト装置に接続可能な複数の接続可能地域より事前に選択された接続が許可される地域の場合、無線通信手段によりホスト装置に接続し、ホスト装置における確認により、ホスト装置から所望のデータを取得する制御手段を備えるようにする。
【００１０】
また請求項３の発明においては、移動可能な装置からの無線通信による接続により、移動可能な装置に所望のデータを送出するデータ通信装置に適用して、移動可能な装置の接続に基づいて移動可能な装置の現在位置を検出し、現在位置が、移動可能な装置が接続可能な複数の接続可能地域より事前に選択された接続が許可される地域の場合、移動可能な装置に、データを送出する。
【００１１】
また請求項６の発明においては、移動可能な装置からの無線通信による接続により、ホスト装置から移動可能な装置にデータを送出するデータ通信システムに適用して、移動可能な装置は、現在位置検出手段で検出される現在位置に基づいて、現在位置が、ホスト装置に接続可能な複数の接続可能地域より事前に選択された接続が許可される地域の場合、ホスト装置にデータの送出を要求し、ホスト装置は、移動可能な装置からの要求により、移動可能な装置の接続に基づいて移動可能な装置の現在位置を検出し、現在位置が、事前に選択された接続が許可される地域の場合、移動可能な装置に、データを送出する。
【００１２】
また請求項７の発明においては、無線通信によりホスト装置から所望のデータを取得するデータ通信装置の制御方法に適用して、現在位置検出手段により取得した現在位置に基づいて、現在位置が、ホスト装置に接続可能な複数の接続可能地域より事前に選択された接続が許可される地域の場合、ホスト装置に接続し、ホスト装置における確認により、ホスト装置から所望のデータを取得する。
【００１３】
また請求項８の発明においては、移動可能な装置からの無線通信による接続により、移動可能な装置に所望のデータを送出するデータ通信装置の制御方法に適用して、移動可能な装置の接続に基づいて移動可能な装置の現在位置を検出し、現在位置が、移動可能な装置が接続可能な複数の接続可能地域より事前に選択された接続が許可される地域の場合、移動可能な装置に、データを送出する。
【００１４】
請求項１の構成によれば、無線通信によりホスト装置から所望のデータを取得するデータ通信装置に適用して、現在位置検出手段による検出結果に基づいて、現在位置が、ホスト装置に接続可能な複数の接続可能地域より事前に選択された接続が許可される地域の場合、無線通信手段によりホスト装置に接続し、ホスト装置における確認により、ホスト装置から所望のデータを取得する制御手段を備えることにより、現在位置が、事前に選択して登録したセキュリティーを十分に確保し得る地域となるとホスト装置に接続し、さらにこのホスト装置における確認によりデータを取得することができ、これにより従来に比してセキュリティーを向上して簡易にデータ通信することができる。
【００１５】
また請求項３の発明によれば、移動可能な装置からの無線通信による接続により、移動可能な装置に所望のデータを送出するデータ通信装置に適用して、移動可能な装置からの接続に基づいて移動可能な装置の現在位置を検出し、現在位置が、移動可能な装置が接続可能な複数の接続可能地域より事前に選択された接続が許可される地域の場合、移動可能な装置に、データを送出することにより、ネットワーク等で検出される現在位置に基づいて、事前に登録されていない地域における移動可能な装置からの接続については、データの提供を拒否し得、これにより従来に比してセキュリティーを向上して簡易にデータ通信することができる。
【００１６】
これにより請求項６、請求項７、請求項８の構成によれば、従来に比してセキュリティーを向上して簡易にデータ通信することができるデータ通信システム、データ通信装置の制御方法を提供することができる。
【００１７】
【発明の実施の形態】
以下、適宜図面を参照しながら本発明の実施の形態を詳述する。
【００１８】
（１）実施の形態の構成
図２は、本発明の実施の形態に係るデータ通信システムを示すブロック図である。このデータ通信システム１においては、管理サーバー２、ネットワーク端末装置３Ａ〜３Ｅがネットワーク４により接続される。ここでこのネットワーク４は、例えば社内ＷＡＮ（Ｗｉｄｅ  Ａｒｅａ  Ｎｅｔｗｏｒｋ  ）であり、これら管理サーバー２、ネットワーク端末装置３Ａ〜３Ｅ以外にも、各地の工場、オフィスに設置されたコンピュータが接続されてデータを送受するようになされている。
【００１９】
このデータ通信システム１は、このネットワーク４を用いてデータ通信可能な各地域の中から、管理対象の車両５について、この車両５に搭載された車載装置６との間でデータ通信する地域を事前に登録し、この事前に登録された地域においてのみ、車載装置６との間でデータ通信する。またこのとき、この事前の登録、この車両５に関するスケジュールにより、データ通信を制限し、これらによりセキュリティーを確保する。
【００２０】
ネットワーク端末装置３Ａ〜３Ｅは、このような車載装置６との間でデータ通信が予定される地域に設置されたコンピュータであり、赤外線又は無線通信波による無線通信により車載装置６との間で種々のデータを送受する。
【００２１】
ここで図３は、ネットワーク端末装置３Ａを車載装置６と共に示すブロック図である。なおネットワーク端末装置３Ｂ〜３Ｅは、ネットワーク端末装置３Ａとほぼ同一に構成されることにより、これらについては重複した説明は省略する。ここでネットワーク端末装置３Ａは、ネットワーク４を介して管理サーバー２とデータ通信可能であって、また車載装置６との間で無線通信によりデータ通信可能なコンピュータである。このためネットワーク端末装置３Ａは、インターフェース（Ｉ／Ｆ）１０を介してネットワーク４に接続され、リードオンリメモリ（ＲＯＭ）１１の記録に従ってランダムアクセスメモリ（ＲＡＭ）１２にワークエリアを確保してハードディスク装置（ＨＤＤ）１３に記録された処理プログラムを中央処理ユニット（ＣＰＵ）１４により実行するようになされている。またネットワーク端末装置３Ａは、車載装置６とのデータ通信に供する通信部１５が設けられるようになされている。
【００２２】
ここで通信部１５は、図示しない送受信部を介した赤外線又は無線通信波による無線通信により車載装置６との間で種々のデータを送受し、またこれらのデータを中央処理ユニット１４に通知する。ここでこの実施の形態では、この無線通信に、無線ＬＡＮ（Ｌｏｃａｌ  Ａｒｅａ  Ｎｅｔｗｏｒｋ）による無線通信波が適用され、送受信部においては、この無線ＬＡＮに係る無線通信波を送受信するアンテナ、この無線通信波を処理して車載装置６との間の送受に係るデータ、制御データを通信部１５の本体部に送出する信号処理回路、インターフェースにより構成される。なお赤外線によるデータ通信においては、この送受信部が発光部及び受光部、発光部を駆動し、また受光部の受光結果を処理する信号処理回路、信号処理回路の処理に係るデータを本体部との間で入出力するインターフェースにより構成される。この実施の形態において、通信部１５は、この送受信部が、車両５の駐車場に設けられ、これによりネットワーク端末装置３Ａは、車両５がこの駐車場に接近すると車両５の車載装置６との間でデータ通信できるようになされている。
【００２３】
中央処理ユニット１４は、このようにして通信部１５から得られる車載装置６からのデータにより、車載装置６からのデータ通信のリクエストを受信し、このリクエストを管理サーバー２に通知する。またこのリクエストによる管理サーバー２の指示により、管理サーバー２と車載装置６との間のデータ通信を中継する。
【００２４】
これに対して車載装置６は、ナビゲーション機能を有する情報処理装置により構成される。すなわち車載装置６において、アンテナ２１は、ＧＰＳ（Ｇｌｏｂａｌ  Ｐｏｓｉｔｉｏｎｉｎｇ  Ｓｙｓｔｅｍ  ）に係るアンテナであり、ＧＰＳ衛星からの電波を受信して信号処理回路２２に出力する。再生装置２３は、中央処理ユニット（ＣＰＵ）２４の制御によりコンパクトディスク、ＣＤ−ＲＯＭ、ＤＶＤ等による光ディスクを再生して再生結果を信号処理回路２２に出力する。信号処理回路２２は、アンテナ２１より出力される信号を信号処理することにより、現在位置計測用の各種のデータを中央処理ユニット２４に出力する。これによりこの実施の形態では、このデータを中央処理ユニット２４で処理して現在位置を検出できるようになされている。また信号処理回路２２は、再生装置２３の再生結果に係るオーディオデータをディジタルアナログ変換処理して増幅回路２５に出力し、増幅回路２５はこのディジタルアナログ変換処理による出力によりスピーカ２６を駆動する。これによりこの車載装置６では、車内において音楽等を楽しむことができるようになされている。また信号処理回路２２は、このような再生装置２３からのオーディオデータに代えて、中央処理ユニット２４から出力される音声データをアナログ信号に変換して増幅回路２５に出力する。これによりこの車載装置６では、ナビゲーション機能に係る音声による案内を提供できるようになされている。信号処理回路２２は、このようなオーディオデータ以外の再生装置２３による再生結果については、中央処理ユニット２４の指示により中央処理ユニット２４に出力する。
【００２５】
通信部２７は、ネットワーク端末装置３Ａの通信部１５に対応する構成であり、中央処理ユニット２４の制御により通信部１５との間で種々のデータを送受する。画像処理部２８は、中央処理ユニット２４の制御により画像データを生成して表示部２９で表示する。これによりこの車載装置６では、この表示部２９を介してナビゲーション機能に係る地図等の画像を表示し、また通信部２７を介してネットワーク４より取得した各種のデータを確認できるようになされている。
【００２６】
操作部３０は、この車載装置６のリモートコマンダ等により構成され、ユーザーによる操作を中央処理ユニット２４に通知する。中央処理ユニット２４は、ランダムアクセスメモリ（ＲＡＭ）３２にワークエリアを確保してハードディスク装置（ＨＤＤ）３１に記録された処理プログラムを実行することにより、ユーザーによる操作部３０の操作等に応動して全体の動作を制御する。
【００２７】
すなわち中央処理ユニット２４は、信号処理回路２２より出力されるアンテナ２１によるデータを処理して、現在位置を検出する。またユーザーにより道案内が指示されると、このようにして検出した現在位置の情報、再生装置２３を再生して得られる地図データ等に基づいて、表示部２９に地図等を表示し、また所定のタイミングでスピーカ２６から音声を出力し、これにより目的地までユーザーを道案内する。またユーザーが音楽コンテンツ、映像コンテンツの鑑賞を指示すると、再生装置２３を駆動して音楽コンテンツ、映像コンテンツを再生し、これらをスピーカ２６、表示部２９よりユーザーに提供する。
【００２８】
これに対してネットワーク４より取得した各種のデータの確認をユーザーが指示すると、これらのデータによるファイルの一覧を表示部２９に表示する。またこの表示においてユーザーの選択を受け付け、対応するアプリケーションプログラムを起動してファイルの内容を表示する。具体的に、ユーザーが電子メールの閲覧を指示すると、中央処理ユニット２４は、メールソフトを起動して電子メールを表示する。また各種の統計、ニュース等のファイルにあっては、対応する閲覧ソフトを起動してこれらファイルの内容を表示する。これによりこの車載装置６では、車両５による移動中においても、各種の情報を確認、検討できるようになされている。
【００２９】
中央処理ユニット２４は、所定の処理手順の実行により、事前に登録された地域において、通信部２７、ネットワーク４を介して管理サーバー２よりデータを取得する。すなわちこの車載装置６においては、ネットワーク端末装置３Ａ〜３Ｅと無線通信可能な地域が、管理サーバーに接続可能な地域として管理サーバー２に記録して保持され、事前の選択により、これら接続可能な地域から接続が許可される地域が管理サーバー２に登録される。またこの登録の際に、各接続が許可される地域毎に、接続が許可される範囲が登録される。
【００３０】
中央処理ユニット２４は、このようにして管理サーバー２に登録された接続が許可される地域、範囲の情報を管理サーバー２から取得し、ハードディスク装置３１に記録して保持し、この記録に基づいて、管理サーバー２にデータの取得をリクエストする。図４は、このハードディスク装置３１に記録されてなる接続が許可される地域、範囲の情報を示す図表である。このハードディスク装置３１の記録においては、ナビゲーション機能による地図の表示上で、通信が許可される地域を特定のマークの表示により確認できるように、所定の登録マークとの対応により各通信が許可される地域が登録される。なお図４においては、この登録マークにより本社、厚木工場、鹿児島工場、大分工場、長野工場の各地域が、通信が許可される地域として登録されるようになされている。またこのハードディスク装置３１の記録においては、これら各地域の登録に、各地域を受け持つネットワーク端末装置３Ａ〜３Ｅの送受信部が設置されてなる位置情報が、ＧＰＳシステムにより車載装置６で検出される現在位置の位置情報と対応するようにして記録されるようになされている。またこの位置情報により特定される位置を中心にして、通信の許可される範囲が記録されるようになされている。これによりこの図４の例では、本社においては、対応するネットワーク端末装置の送受信部を中心にした東西南北、１００〔ｍ〕四方の範囲が、通信が許可される地域として登録されるようになされている。
【００３１】
中央処理ユニット２４は、このハードディスク装置３１の登録に基づいた図１の処理手順の実行により、管理サーバー２から所定のデータを取得する。
【００３２】
すなわち中央処理ユニット２４は、動作を開始すると、ステップＳＰ１からステップＳＰ２に移り、ＧＰＳシステムにより現在位置を検出する。また続くステップＳＰ３において、このＧＰＳシステムにより検出される現在位置を、ハードディスク装置３１に記録された通信が許可される地域の情報と比較し、現在位置が、通信を許可された地域か否か判断する。ここで否定結果が得られると、中央処理ユニット２４は、ステップＳＰ２に戻る。
【００３３】
これにより中央処理ユニット２４は、通信が許可される地域にまで車両５が移動するまでの間、ステップＳＰ２−ＳＰ３−ＳＰ２の処理手順を繰り返し、現在位置が、通信が許可される地域になると、管理サーバー２の確認により電子メール等の情報を取得する。すなわち中央処理ユニット２４は、ステップＳＰ３で肯定結果が得られると、ステップＳＰ３からステップＳＰ４に移り、通信部２７を起動する。また続くステップＳＰ５において、車載装置６に設定された識別コード等の送受によりこの地域に設置されたネットワーク端末装置との間で認証の処理を実行し、またこのネットワーク端末装置、ネットワーク４を介して管理サーバー２との間で認証の処理を実行し、ここで正しく認証できなかった場合には、ステップＳＰ５からステップＳＰ２に戻る。
【００３４】
これに対してステップＳＰ５で正しく認証できると、続くステップＳＰ７において、ステップＳＰ２で検出された現在位置の情報を管理サーバー２に通知し、続くステップＳＰ８において、この通知により管理サーバー２で通信が許可されたか否か判断する。ここで否定結果が得られると、中央処理ユニット２４は、通信部２７の動作を立ち下げた後、ステップＳＰ８からステップＳＰ２に戻る。これに対してステップＳＰ８で肯定結果が得られると、ステップＳＰ９に移り、管理サーバー２とのデータ通信によりハードディスク装置３１に記録された過去のアクセスログと、管理サーバー２に保持された電子メール等の記録との比較により、管理サーバー２に未だダウンロードしていないファイルが存在するか検出する。
【００３５】
中央処理ユニット２４は、続くステップＳＰ１０において、このようなファイルが存在するか否か判断し、ここで否定結果が得られると、通信部２７の動作を立ち下げた後、ステップＳＰ２に戻る。これに対してステップＳＰ１０で肯定結果が得られると、ステップＳＰ１１に移り、管理サーバー２から対応するファイルをダウンロードしてハードディスク装置３１に記録し、またこのファイルの取得を表示部２９を介してユーザーに通知する。また続くステップＳＰ１２において、ＧＰＳシステムにより現在位置を検出し、続くステップＳＰ１３において、この検出した現在位置をハードディスク装置３１に記録された通信が許可される地域の情報と比較し、通信が許可される地域を外れたか否か判断する。
【００３６】
ここで否定結果が得られると、中央処理ユニット２４は、ステップＳＰ９に戻り、続いてファイルをダウンロードするのに対し、ステップＳＰ１３で肯定結果が得られると、ステップＳＰ１４に移り、通信部２７の動作を立ち下げた後、ステップＳＰ２に戻る。
【００３７】
これによりこの車載装置６においては、無線通信によりホスト装置である管理サーバー２から所望のデータを取得するデータ通信装置を構成し、アンテナ２１、信号処理回路２２、中央処理ユニット２４は、現在位置を検出する現在位置検出手段を構成するようになされている。また通信部２７は、ホスト装置に接続可能な無線通信手段を構成し、中央処理ユニット２４は、現在位置検出手段による検出結果に基づいて、現在位置が事前に選択された接続が許可される地域の場合、無線通信手段によりホスト装置に接続し、ホスト装置における確認により、ホスト装置から所望のデータを取得する制御手段を構成するようになされている。
【００３８】
このような構成に対応して、管理サーバー２においては、図５に示すように、構成される。すなわち管理サーバー２は、移動可能な装置である車載装置６からの無線通信による接続により、この移動可能な装置に所望のデータを送出するデータ通信装置であり、インターフェース（Ｉ／Ｆ）４１によりネットワーク４に接続される。管理サーバー２は、リードオンリメモリ（ＲＯＭ）４２の記録に従ってランダムアクセスメモリ（ＲＡＭ）４３にワークエリアを確保してハードディスク装置（ＨＤＤ）４４に記録された処理プログラムを中央処理ユニット４５で実行することにより、車載装置６に提供する各種のデータをネットワークに接続された各種情報機器より取得し、またこの情報を車載装置６に提供する。
【００３９】
このためこの管理サーバー２は、ハードディスク装置４４にデータベース４６〜４８が構築される。すなわちこれらデータベース４６〜４８において、スケジュールデータベース４６は、この管理サーバー２の管理対象である複数台の車両５に関して、スケジュールのデータを蓄積して構築される。具体的に、この実施の形態では、車両５を利用するユーザーの秘書室等に設けられたコンピュータから、適宜、スケジュールの情報を取得して、またスケジュールの変更を受け付けて、このスケジュールデータベース４６が構築される。これによりこの管理サーバー２においては、このスケジュールデータベース４６の記録に基づいて、車載装置６からのアクセス時刻を判断して、セキュリティーを確保するようになされている。
【００４０】
これに対してファイルデータベース４７は、車載装置６にダウンロードするファイルを蓄積して構築される。この実施の形態では、このような車載装置６にダウンロードするファイルとして図６に示すように、最新の電子メール、各種ドキュメント、ニュース／海外情報、公報関連のビデオ等が適用され、最新の電子メールにおいては、この車両５を利用するユーザーのコンピュータにおける受信トレイの操作に同期して、未開封に保持された電子メールが蓄積されるようになされている。またドキュメントにおいては、この車両５を使用するユーザーに対して、従来、印刷して提供されていたものが、印刷前のファイル形式により提供されるようになされている。またニュース／海外情報は、業界紙等により提供される情報が電子化されて提供されるようになされている。
【００４１】
これに対して通信許可地域データベース４８は、図４について上述した通信が許可される地域、範囲の情報が、この管理サーバー２により管理される車両について登録されて形成される。またこの通信許可地域データベース４８においては、車載装置６のＧＰＳシステムにより検出される位置情報に対応する現在位置情報に加えて、ネットワーク４上で対応するネットワーク端末装置３Ａ〜３Ｅに割り当てられたアドレスが記録されるようになされている。管理サーバー２においては、このアドレスによりネットワーク４上において車載装置６からの接続により車載装置６の現在位置を検出するようになされている。
【００４２】
かくするにつき中央処理ユニット４５は、事前の登録により、この通信許可地域データベース４８に車両５に関する情報を追加し、またこの追加に対応するように車両５との間のデータ通信によりこの車両５の車載装置６に上述した通信が許可される地域の情報を記録するようになされている。
【００４３】
図７は、車載装置６からの接続に係る管理サーバー２の処理手順を示すフローチャートである。中央処理ユニット４５は、ネットワーク端末装置３Ａ〜３Ｅの何れかからのリクエストにより、さらにはこのネットワーク４に接続された情報処理装置からのリクエストにより、ステップＳＰ２１からステップＳＰ２２に移り、このリクエストに係る機器との間で識別コード等を送受することにより、通常の認証の処理を実行する。ここで正しく認証し得なかった場合、中央処理ユニット４５は、ステップＳＰ２２からステップＳＰ２３に移り、所定の警告のメッセージをこの機器に通知した後、ステップＳＰ２４に移り、この処理手順を終了する。
【００４４】
これに対して通常の認証処理により正しく認証し得た場合、中央処理ユニット４５は、ステップＳＰ２２からステップＳＰ２５に移り、このリクエストに係る車載機器より現在位置の位置情報を取得し、この取得した現在位置の位置情報により通信許可地域データベース４８を検索し、これにより車載装置６を搭載してなる車両５が、通信が許可される地域の、通信が許可される範囲に位置しているか否か判断する。このとき中央処理ユニット４５は、併せてこのリクエストに使用されるネットワーク端末装置のアドレスにより、通信許可地域データベース４８を検索し、これによりネットワーク４上で検出される車載装置６の現在位置についても、通信許可地域か否か判断し、また車載装置６から取得した位置情報による現在位置が正しいものか否か判断する。これにより中央処理ユニット４５は、このネットワーク４に接続した他の機器等によるアクセスを受け付けないようにし、さらには車載装置６からの現在位置を偽ったアクセスに対しては、データを送信しないようにし、その分、セキュリティーを確保するようになされている。
【００４５】
かくしてこの判定により、現在位置が、通信が許可された地域では無いと判断される場合、中央処理ユニット４５は、ステップＳＰ２５からステップＳＰ２３に移り、警告を通知した後、ステップＳＰ２４に移る。これに対して正しく認証し得た場合、ステップＳＰ２６に移り、スケジュール認証により正しく認証し得たか否か判断する。
【００４６】
ここでスケジュール認証は、このリクエストに係る車載装置６が搭載されてなる車両５に係るスケジュールに基づいて、正しいユーザーによるリクエストか否か判断する処理である。中央処理ユニット４５は、このリクエストに係る機器、現在時刻によりスケジュールデータベース４６を検索し、このリクエストがスケジュールにより予測される地点からのものか否か判断してこの処理を実行する。具体的に、車両５を使用するユーザーのスケジュールでは、午後３時に厚木工場に到着することとなっている場合に、例えば午後３時１０分に、この厚木工場に設けられたネットワーク端末装置３Ａを介して、この車両５の車載装置６よりリクエストが得られると、この場合、交通渋滞等により到着時刻が遅れたものの、スケジュールに対応する地点からのリクエストであることにより、スケジュールにより予測される地点からのリクエストと判断する。これに対してこのようなリクエストの時刻が、スケジュールの時刻より大きく異なる場合、さらにはスケジュールでは厚木工場に設けられたネットワーク端末装置３Ａを介してリクエストがあって然るべきところ、例えば本社に設けられたネットワーク端末装置３Ｅを介してリクエストがあった場合、スケジュールにより予測される地点からのリクエストでは無いと判断する。
【００４７】
これにより中央処理ユニット４５は、このようにスケジュールに基づいて正しいユーザーによるアクセスか否かの認証処理を実行し、ここで正しく認証し得なかった場合、ステップＳＰ２６からステップＳＰ２３に移り、警告を通知した後、ステップＳＰ２４に移る。これに対して正しく認証し得た場合、ステップＳＰ２７に移り、車載装置６との間でファイルデータベース４７に保持されたファイルの一覧情報等を送受した後、車載装置６からの指示に従って対応するファイルを車載装置６に送出する。また続いてステップＳＰ２８に移り、車載装置６からのリクエストが終了したか否か判断し、ここで否定結果が得られると、ステップＳＰ２７に戻り、続くファイルを車載装置６にダウンロードするのに対し、ステップＳＰ２８で否定結果が得られると、ステップＳＰ２４に移り、この処理手順を終了する。
【００４８】
（２）実施の形態の動作
以上の構成において、このデータ通信システム１では（図２及び図３）、車両５を使用するユーザーのスケジュール、このユーザーに提供する電子メール等が管理サーバー２のスケジュールデータベース４６、ファイルデータベース４７に蓄積される（図５）。またネットワーク４を介してこの管理サーバー２へ接続可能な地域からの事前の選択により、接続が許可される地域、範囲が車載装置６、管理サーバー２にそれぞれ記録される（図４）。
【００４９】
このデータ通信システム１では、これにより車両５が運行されて、この車両５の車載装置６において、ＧＰＳシステムにより検出される現在位置が、この事前に登録されてなる接続が許可される地域、範囲となると（図１）、この車載装置６からリクエストが送出され、このリクエストがこの地域、範囲を受け持つネットワーク端末装置３Ａ〜３Ｅにより受信され、このネットワーク端末装置３Ａ〜３Ｅにより管理サーバー２に通知される。これによりこのデータ通信システム１では、何ら車載装置６を操作しなくても、十分にセキュリティーが確保された地域、範囲において、管理サーバー２より所望するデータをダウンロードすることができ、これにより従来に比してセキュリティーを向上して簡易にデータ通信することができるようになされている。
【００５０】
またデータ通信システム１では、このようにしてリクエストが得られると、管理サーバー２、ネットワーク端末装置３Ａ〜３Ｅとの間の通常の認証処理が実行される。その後、このデータ通信システム１では、車載装置６よりＧＰＳシステムで取得された現在位置情報により、管理サーバー２側で、この車載装置６の現在位置が通信が許可された地域、範囲からのものか否か判断される。またリクエストを中継したネットワーク端末装置３Ａ〜３Ｅのアドレスから、このリクエストに係る現在位置が正しいものか否か判断される。これによりこのデータ通信システム１では、例えば車載装置６に成りすました他の地域からの不正なアクセス等を防止し得、従来に比して十分なセキュリティーを確保することができる。
【００５１】
また続いてこの車両５を利用するユーザーのスケジュールに基づいて、この車載装置６からのアクセスが正規のユーザーによるアクセスか否か判断される。これによってもこのデータ通信システム１では、成りすましによる第三者の不正なアクセス等を防止し得、従来に比して十分なセキュリティーを確保することができる。
【００５２】
かくしてこれらの処理により、正規のユーザーによる正規の地域からのアクセスの場合、このデータ通信システム１では、管理サーバー２から新規の電子メール等が車載装置６にダウンロードされ、これによりユーザーにおいては、車両５による移動中に、このようなデータを検討して時間を有効に利用することができる。
【００５３】
（３）実施の形態の効果
以上の構成によれば、現在位置が、無線通信により接続可能な複数の接続可能地域より事前に選択された接続が許可される地域の場合に限って、データを送受することにより、従来に比してセキュリティーを向上して簡易にデータ通信することができる。
【００５４】
すなわち車載装置６においては、ＧＰＳシステムによる現在位置検出手段で検出される現在位置が、ホスト装置に接続可能な複数の接続可能地域より事前に選択された接続が許可される地域の場合、ホスト装置に接続して所望のデータを取得することにより、十分にセキュリティーが確保された地域に限って、所望するデータを自動的にダウンロードすることができる。なおこのようにして自動的にダウンロードする場合にあっては、何度も頻繁に管理サーバー２をアクセスする必要が無いことにより、消費電力を少なくすることにもなる。またこの通信を許可する範囲を、高速度にデータ通信可能な範囲となるように設定して、大容量のファイルを短い時間で取得することもできる。
【００５５】
またこの現在位置の情報をホスト装置に通知し、ホスト装置による判定によりデータを取得することにより、現在位置を偽った不正なアクセスを防止することができる。
【００５６】
これに対してホスト装置である管理サーバー２においては、移動可能な装置である車載装置６のネットワークへの接続に基づいて、この移動可能な装置の現在位置を検出し、この現在位置が、移動可能な装置が接続可能な複数の接続可能地域より事前に選択された接続が許可される地域の場合、この移動可能な装置に保持したデータを送出することにより、十分にセキュリティーが確保された地域に限って、所望するデータを提供することができる。
【００５７】
またこの移動可能な装置で検出される現在位置の情報を取得し、この取得した現在位置の情報による現在位置が、先の事前に選択された接続が許可される地域か否か判定してデータの送信を中止することにより、第三者の不正なアクセスを防止することができる。
【００５８】
またこの移動可能な装置に関するスケジュールに基づいて、移動可能な装置からの接続の時刻を判定してスケジュールにより認証することにより、これによっても第三者の不正なアクセスを防止することができる。
【００５９】
（４）他の実施の形態
なお上述の実施の形態においては、移動可能なデータ通信装置として車載装置を適用する場合について述べたが、本発明はこれに限らず、携帯電話、ＰＤＡ（Ｐｅｒｓｏｎａｌ  Ｄｉｇｉｔａｌ  Ａｓｓｉｓｉａｎｔｓ  ）等、種々の情報端末装置に広く適用することができる。
【００６０】
また上述の実施の形態においては、現在位置の取得手段としてＧＰＳシステムを適用する場合について述べたが、本発明はこれに限らず、例えば携帯電話通信網におけるセルにより現在位置情報を取得する場合等にも広く適用することができる。
【００６１】
また上述の実施の形態においては、管理サーバーにおいて車載装置に提供するデータを蓄積して保持し、また管理サーバーにおける管理によりこの保持したデータを車載装置に提供する場合について述べたが、本発明はこれに限らず、ネットワーク端末装置側にこのようなデータを保持し、このネットワーク端末装置における管理により保持したデータを車載装置に提供するようにしてもよい。
【００６２】
また上述の実施の形態においては、接続が許可される地域について、それぞれ接続が許可される範囲を併せて設定する場合について述べたが、本発明はこれに限らず、このような範囲の設定を省略するようにしてもよい。
【００６３】
また上述の実施の形態においては、車載装置にデータをダウンロードする場合について述べたが、本発明はこれに限らず、併せて車載装置からデータをアップロードするようにしてもよい。
【００６４】
【発明の効果】
上述のように本発明によれば、現在位置が、無線通信により接続可能な複数の接続可能地域より事前に選択された接続が許可される地域の場合に限って、データを送受することにより、従来に比してセキュリティーを向上して簡易にデータ通信することができる。
【図面の簡単な説明】
【図１】本発明の実施の形態に係るデータ通信システムにおける車載装置の中央処理ユニットの処理手順を示すフローチャートである。
【図２】本発明の実施の形態に係るデータ通信システムを示すブロック図である。
【図３】図２のデータ通信システムにおけるネットワーク端末装置及び車載装置を示すブロック図である。
【図４】図３の車載装置における通信が許可される地域の説明に供する図表である。
【図５】図２のデータ通信システムにおける管理サーバーを示すブロック図である。
【図６】図５の管理サーバーにおけるファイルデータベースの説明に供する図表である。
【図７】図５の管理サーバーにおける中央処理ユニットの処理手順を示すフローチャートである。
【符号の説明】
１……データ通信システム、２……管理サーバー、３Ａ〜３Ｅ……ネットワーク端末、４……ネットワーク、５……車両、６……車載装置、１４、２４、４５……中央処理ユニット
【図１】
2004328560.tif 000003
【図２】
2004328560.tif 000004
【図３】
2004328560.tif 000005
【図４】
2004328560.tif 000006
【図５】
2004328560.tif 000007
【図６】
2004328560.tif 000008
【図７】
2004328560.tif 000009